(57)【要約】【課題】ずれを抑制できると共に、コストの増大を抑え、より使いやすい敷物を提供する。【解決手段】一実施形態に係る敷物は、荷重が加えられるベッドパッド１０である。ベッドパッド１０は、長手方向及び長手方向に交差する幅方向Ｄ２に延びる第１布部１１及び第２布部１２と、第１布部１１及び第２布部１２それぞれの外縁１１Ａ，１２Ａを挟み込んで固定されると共に外縁１１Ａ，１２Ａに沿って延びる滑り止め部２０と、を備える。【選択図】図４
2019042036.tif 000002
【特許請求の範囲】
【請求項１】
荷重が加えられる敷物であって、
第１方向及び前記第１方向に交差する第２方向に延びる布部と、
前記布部の外縁を挟み込んで前記外縁に固定されると共に前記外縁に沿って延びる滑り止め部と、
を備える敷物。
【請求項２】
前記布部は、前記第１方向及び前記第２方向に延びる長方形状とされており、
前記滑り止め部は、前記布部の４辺のそれぞれに設けられる、
請求項１に記載の敷物。
【請求項３】
前記敷物は、マットレスの上に載せられると共にシーツが被せられるベッドパッドである、
請求項１又は２に記載の敷物。
【請求項４】
前記敷物は、床面に載せられると共に敷き寝具が載せられるドライシートである、
請求項１又は２に記載の敷物。
【発明の詳細な説明】
【技術分野】
【０００１】
本発明は、人又は物品の荷重が加えられる敷物に関する。
【背景技術】
【０００２】
人又は物品の荷重が加えられる敷物は従来から知られており、敷物は床面又は寝具等に載せられる。敷物の種類としては、カーペット又はマット等があるが、これらの他にマットレスの上に載せられるベッドパッドが知られている。実開昭６２−１３１６６７号公報には、使用者の身体が載せられるベッドパッドが記載されている。
【０００３】
このベッドパッドは、直方体状のマットレスの上に載せられる敷き寝具であり、ベッドパッドの上には、掛け布団又は毛布等の掛け寝具が掛けられる。上記の公報には、ベッドパッドのずれを抑制する手段として、長方形状のベッドパッドの四隅付近においてベッドパッドの各辺から傾斜して延びる４本のゴム状の帯状部材が記載されている。
【０００４】
図１０（ａ）は、ゴム状の帯状部材を備えたベッドパッドの構成を概略的に示す。図１０（ａ）に示されるベッドパッド１００は、互いに平行に延びる短辺１０１、各短辺１０１の端部から各短辺１０１に垂直に延びる長辺１０２、及び短辺１０１と長辺１０２とが直交する隅部１０３を備えた長方形状とされている。
【０００５】
ベッドパッド１００では、４本のゴム状の帯状部材１０４が設けられている。各帯状部材１０４は、各隅部１０３から一定距離離れた短辺１０１の箇所から短辺１０１に対して４５°の角度を成して延びており、各隅部１０３から一定距離離れた長辺１０２の箇所にまで延在している。
【０００６】
各帯状部材１０４の一端は短辺１０１に縫い込まれており、各帯状部材１０４の他端は長辺１０２に縫い込まれており、各帯状部材１０４は短辺１０１及び長辺１０２と共に直角三角形状を成している。このようにゴム状の帯状部材１０４が配置されたベッドパッド１００では、各帯状部材１０４をマットレスの底面の隅部に引っ掛けることにより、マットレスに対するベッドパッド１００のずれが抑制される。
【先行技術文献】
【特許文献】
【０００７】
【特許文献１】実開昭６２−１３１６６７号公報
【発明の概要】
【発明が解決しようとする課題】
【０００８】
前述したベッドパッド１００のような敷物においては、敷物の上の人又は物品が動いてもずれないことが求められる。ベッドパッド１００では、各帯状部材１０４をマットレスの底面の隅部に引っ掛けることによりマットレスにベッドパッド１００を固定できるので、マットレスに対するベッドパッド１００のずれは抑制される。
【０００９】
しかしながら、ベッドパッド１００では、マットレスを手で持ち上げて、そのマットレスの底面に４本の帯状部材１０４のそれぞれを入れなければならないため、ベッドパッド１００を取り付けるのに手間がかかる。また、マットレスにベッドパッド１００を取り付けた状態からベッドパッド１００を外すのにも、マットレスの底面から帯状部材１０４を外さなければならないため手間がかかる。
【００１０】
更に、ベッドパッド１００を長期間使用していると、帯状部材１０４が徐々に劣化して帯状部材１０４が伸びきった状態になることがある。帯状部材１０４が伸びきった状態になると、ベッドパッド１００をマットレスに確実に固定できなくなり、ベッドパッド１００の上で人が移動したときにベッドパッド１００がずれることがある。
【００１１】
よって、ベッドパッド１００を長期間快適に使うことができないという問題が生じうる。また、帯状部材１０４以外の部分が使えるにもかかわらずベッドパッド１００を廃棄しなければならない場合もある。このように、ベッドパッド１００等の既存の敷物では、着脱に手間がかかると共に長期間快適に使えないという問題がある。更に、帯状部材１０４、特に伸びきった状態の帯状部材１０４は、デザイン性の点でも問題がある。
【００１２】
前述した帯状部材１０４を使わない手段として、図１０（ｂ）に示されるように、ゴム等の滑り止め加工１１１が一面に施された長方形状の敷物１１０が考えられる。図１０（ｂ）では、滑り止め加工１１１を灰色で示している。敷物１１０では、滑り止め加工１１１を有する面を下に向けることにより、敷物１１０のずれが抑制される。
【００１３】
しかしながら、敷物１１０の一面に滑り止め加工１１１を施す場合、コストが増大する懸念がある。また、滑り止め加工１１１は、ゴム等、滑らかでない材質であることが多い。このため、滑り止め加工１１１を上に向けて使用する場合、滑り止め加工１１１の肌触りが良好でないことにより、使用者に対する使い心地において改善の余地がある。すなわち、敷物１１０は、滑り止め加工１１１を上に向けて使用することができない場合があるため、使いやすさの点において改善の余地がある。
【００１４】
本発明は、ずれを抑制できると共に、コストの増大を抑え、より使いやすい敷物を提供することを目的とする。
【課題を解決するための手段】
【００１５】
本発明に係る敷物は、荷重が加えられる敷物であって、第１方向及び第１方向に交差する第２方向に延びる布部と、布部の外縁を挟み込んで外縁に固定されると共に外縁に沿って延びる滑り止め部と、を備える。
【００１６】
この敷物では、布部が、第１方向、及び第１方向に交差する第２方向に延びており、布部の外縁に沿って延びる滑り止め部を備える。滑り止め部は、布部の外縁を挟み込んだ状態で布部に固定される。滑り止め部が布部の外縁に沿って延びることにより、布部の下に位置するマットレス又は床面等に対し敷物を滑りにくくすることができる。すなわち、布部の外縁に沿って滑り止め部が設けられるので、布部の外縁において敷物のずれを抑えることができる。また、この敷物では、前述の帯状部材が不要となり、単にマットレス等の上に載せるだけで使用できるので、マットレス等に対する着脱を容易に行うことができる。更に、帯状部材が不要であることにより、帯状部材が伸びきる懸念を解消できると共に、デザイン性を向上させることができる。また、滑り止め部が布部の外縁に設けられることにより、滑り止め加工が一面に施される場合と比較してコストを抑えることができる。更に、滑り止め部が布部の外縁に設けられることにより、布部として滑らかな材質を用いることができるため、肌触りを良好にすることができる。また、布部を上下どちらに向けても、肌触りが良好でない面が上を向かないようにすることができる。すなわち、布部のどの面を上に向けるかを気にせずに敷物を使用することができるため、使い心地を向上させることができ、使いやすい敷物を提供することができる。
【００１７】
また、布部は、第１方向及び第２方向に延びる長方形状とされており、滑り止め部は、布部の４辺のそれぞれに設けられてもよい。この場合、長方形状とされた布部のそれぞれの辺に滑り止め部が設けられる。従って、４方向それぞれへのずれを滑り止め部によって一層確実に抑制することができるので、滑り止めの効果を一層高めることができる。
【００１８】
また、敷物は、マットレスの上に載せられると共にシーツが被せられるベッドパッドであってもよい。この場合、ベッドパッドの滑り止め部の下にマットレスが接触し、ベッドパッドの滑り止め部の上にシーツが接触する。よって、マットレス及びシーツの双方に対するベッドパッドのずれを抑制することができる。従って、マットレスとシーツの間に介在するベッドパッドのずれを抑制することができるので、シーツの上で使用者が寝返りを打っても、シーツ及びマットレスに対するベッドパッドのずれを生じにくくすることができる。その結果、使用者の寝心地の更なる向上に寄与する。
【００１９】
また、敷物は、床面に載せられると共に敷き寝具が載せられるドライシートであってもよい。この場合、ドライシートが床面と敷き寝具の間に介在するので、敷き寝具が湿気を帯びないようにすることができる。よって、敷き寝具が湿気で柔らかくなる問題を抑制することができるので、敷き寝具を長期間使用することができる。また、一般的にドライシートは床面に対して滑りやすいという問題がある。しかしながら、前述したように、ドライシートの外縁に滑り止め部が設けられることにより、床面に対するドライシートのずれを抑制することができる。従って、敷き寝具が湿気で柔らかくなる問題を抑制する効果、及び、ドライシートのずれを抑制する効果の両方を得ることができる。
【発明の効果】
【００２０】
本発明によれば、ずれを抑制できると共に、コストの増大を抑え、より使いやすい敷物を提供することができる。
【図面の簡単な説明】
【００２１】
【図１】第１実施形態に係る敷物を備えた寝具を示す斜視図である。
【図２】図１の寝具の断面図である。
【図３】第１実施形態に係る敷物を示す平面図である。
【図４】図３の敷物の外縁付近の構造を示す断面図である。
【図５】（ａ）は、図３の敷物の滑り止め部の一例を示す平面図である。（ｂ）は、（ａ）の滑り止め部のゴム部を拡大した断面図である。
【図６】図５の滑り止め部の固定手段の一例を示す断面図である。
【図７】（ａ）は、第２実施形態に係る敷物を示す側面図である。（ｂ）は、第２実施形態に係る敷物を示す平面図である。
【図８】図７（ａ）及び図７（ｂ）の敷物の外縁付近の構造を示す断面図である。
【図９】第３実施形態に係る敷物を示す斜視図である。
【図１０】（ａ）は、従来の敷物の下面部及び帯状部材を示す底面図である。（ｂ）は、比較例の敷物の下面部を示す底面図である。
【発明を実施するための形態】
【００２２】
以下では、図面を参照しながら本発明に係る敷物の実施形態について説明する。図面の説明において、同一又は相当する要素には同一の符号を付し重複する説明を適宜省略する。また、図面は、理解を容易にするため一部を誇張して描いており、寸法及び角度等は図面に記載のものに限定されない。
【００２３】
本明細書において、「敷物」とは、床面、又はマットレスといった敷き寝具等に敷かれる物品を示しており、人又は物が載せられる物品を含む。「敷物」は、典型的には、カーペット、マット、絨毯、敷き布団、ドライシート又はベッドパッドを含む。「布部」とは、布で構成された物品及び部分を含み、平面的に延びるシート状の物品を含む。布部の全体が布で構成されていてもよいし、布部の一部が布で構成されていてもよい。
【００２４】
「外縁」とは、物品の外側の縁に沿った部分を示すが、物品の縁だけでなく若干内側に入り込んだ部分も含む。「滑り止め部」は、滑り止め部に接触する物品に対する滑りを抑制する措置が施された部分又は物品を示しており、具体的には、高摩擦処理が施されたもの、及び粗面化処理が施されたものを含む。
【００２５】
「寝具」とは、寝具の使用者が身体を休めたり睡眠をとったりするときに使用者の身体に当てられるものであり、典型的には、布団、枕、座布団又はクッションである。「敷き寝具」は、使用者の身体が載せられる寝具を示しており、典型的には、敷き布団、マットレス又はベッドパッドである。
【００２６】
（第１実施形態）
図１は、第１実施形態に係る敷物であるベッドパッド１０を備えた寝具Ｓの斜視図である。図２は、寝具Ｓの長手方向Ｄ１（第１方向）に直交する面で寝具Ｓを切断したときの断面図である。図１及び図２に示されるように、寝具Ｓは、ベッド１に載せられたマットレス２と、マットレス２の上部に位置するベッドパッド１０と、マットレス２及びベッドパッド１０を覆うシーツ３とを備える。なお、ベッドパッド１０は、マットレス２以外のものに載せられてもよいし、シーツ３が被せられなくてもよい。
【００２７】
例えば、ベッド１は、マットレス２が載せられる床板１ａと、床板１ａの幅方向Ｄ２（第２方向）の両端それぞれに設けられる一対のサイドレール１ｂと、床板１ａの長手方向Ｄ１の一端に設けられるヘッドボード１ｃと、床板１ａの長手方向Ｄ１の他端に設けられるフットボード１ｄとを備える。
【００２８】
マットレス２は、長手方向Ｄ１及び幅方向Ｄ２に延びる直方体状を成しており、高さ方向Ｄ３に厚さを有する。マットレス２は、例えば、ポケットコイルマットレスであってもよく、その場合、マットレス２の内部には、複数のコイルスプリングが互いに連結されて形成されたコイルスプリング集合体が設けられる。
【００２９】
ベッドパッド１０は、一般的な敷き布団よりも薄手とされており、ベッドパッド１０の厚さは、例えば、０．５ｃｍ以上且つ７．０ｃｍ以下である。ベッドパッド１０は、薄手とされることにより、使用者がベッドパッド１０に沈み込みすぎることを抑制する。ベッドパッド１０は、厚手のマットレス２の上に載せられて使用され、ベッドパッド１０の上で寝る使用者の寝心地を改善するために設けられる。ベッドパッド１０及びマットレス２は、シーツ３に包まれた状態で使用され、シーツ３の上には毛布又は掛け布団等が載せられる。ベッドパッド１０は、トッパーとも称される。
【００３０】
図３及び図４に示されるように、ベッドパッド１０は、第１布部１１（布部）と、第２布部１２（布部）と、第１布部１１及び第２布部１２の間に収容される内容物１３と、第１布部１１及び第２布部１２それぞれの外縁１１Ａ，１２Ａを挟み込むことによって外縁１１Ａ，１２Ａに固定される滑り止め部２０とを備える。
【００３１】
第１布部１１及び第２布部１２は、共に長方形状に延びる平布である。第１布部１１は、使用者の身体の荷重を受ける部位であり、第２布部１２は、第１布部１１の反対側に向けられる。第１布部１１は、２つの短辺１１ａと２つの長辺１１ｂとを含む外縁１１Ａを有しており、第２布部１２も同様に、短辺と長辺を含む外縁１２Ａを有する。第１布部１１及び第２布部１２は、例えば互いに同一の形状及び大きさとされているが、第１布部１１及び第２布部１２の形状及び大きさは適宜変更可能である。
【００３２】
一例として、第１布部１１及び第２布部１２のそれぞれは、ポリエステル系合成繊維と綿との混紡素材によって構成されている。但し、第１布部１１及び第２布部１２の材料としては、上記の混紡素材以外のものを用いることも可能であり、例えば、綿、ポリエステル又はレーヨン等、種々のものを用いることが可能である。更に、第１布部１１及び第２布部１２は、不織布又はフェルトであってもよい。
【００３３】
内容物１３は、高い柔軟性を備えた素材によって構成されており、例えば、微細な線状のポリエチレン素材が絡み合って形成された三次元樹脂構造体である。但し、内容物１３としては、他に種々のものを用いることが可能であり、例えば固綿又はシート状ウレタンであってもよい。
【００３４】
滑り止め部２０は、例えば、ミシンによって第１布部１１及び第２布部１２にヘム巻き（アドラー巻き）された部位である。滑り止め部２０は、第１布部１１の外縁１１Ａ、及び第２布部１２の外縁１２Ａに沿って延びている。滑り止め部２０は、薄布状とされている。滑り止め部２０は、第１布部１１の上面から外縁１１Ａの外側を通り、外縁１１Ａと外縁１２Ａの間で湾曲して第２布部１２の下面にまで達している。
【００３５】
滑り止め部２０は、第１布部１１及び第２布部１２の４辺のそれぞれに設けられている。すなわち、滑り止め部２０は、第１布部１１の短辺１１ａ及び長辺１１ｂに沿って設けられると共に、第２布部１２の短辺及び長辺に沿って設けられる。本実施形態では、滑り止め部２０は、第１布部１１及び第２布部１２の全周に設けられている。
【００３６】
滑り止め部２０は、滑り止め加工がされた部位であり、第１布部１１及び第２布部１２のいずれよりも摩擦係数が高い高摩擦部とされている。例えば、滑り止め部２０は、ゴム、ゴム材料を含む滑り止めフェルト、又は編地によって構成されていてもよい。滑り止め部２０は、ポリエステル、ポリウレタン、又はアラミド繊維等の高摩擦繊維が編み込まれたものによって構成されていてもよい。
【００３７】
滑り止め部２０は、滑り止め部２０の外方に露出する表面２１と、表面２１の反対側を向く裏面２２とを有する。表面２１は、シーツ３に接触する上面２１ａと、マットレス２に接触する下面２１ｂと、上面２１ａ及び下面２１ｂを接続する湾曲部２１ｃとを含む。滑り止め部２０は、上面２１ａがシーツ３に接触し、下面２１ｂがマットレス２に接触することにより、シーツ３及びマットレス２に対するずれを抑制する。
【００３８】
滑り止め部２０は、裏面２２が第１布部１１の上面と第２布部１２の下面に接触した状態で糸２３によって第１布部１１及び第２布部１２に縫い込まれることにより、第１布部１１及び第２布部１２に固定される。なお、第１布部１１及び第２布部１２への滑り止め部２０の固定手段は、糸２３による縫製であってもよいし、超音波等による溶着であってもよいし、接着であってもよい。
【００３９】
図５（ａ）及び図５（ｂ）に示されるように、一例として、滑り止め部２０は、表面２１に複数の凸状のゴム部２５が固定されたものであってもよい。各ゴム部２５は、表面２１から突出しており、滑り止め部２０のずれ止めのために配置される。各ゴム部２５は、例えば、円形状とされており、表面２１にドット状に配置されている。
【００４０】
一例として、複数のゴム部２５は、表面２１に略均等に分散して配置されている。「複数のゴム部が略均等に分散して配置されている」とは、滑り止め部２０がずれ防止機能を発揮する程度に表面２１に複数のゴム部２５が配置された状態を含み、例えば、複数のゴム部２５が表面２１の所定の点又は線に対して互いに対称となるように配置されている状態、及び複数のゴム部２５が同心円状に配置されている状態を含んでいる。本実施形態では、複数のゴム部２５が千鳥状に分散して配置されている。
【００４１】
ゴム部２５は、例えば、シリコーン樹脂によって構成されている。ゴム部２５は、加温されて液状とされたシリコーン樹脂が表面２１にドット状に滴下され、滴下されたシリコーン樹脂が熱処理で硬化することによって表面２１に形成される。すなわち、表面２１にはシリコーン樹脂からなるゴム部２５がドット状に印刷されている。また、表面２１へのシリコーン樹脂の滴下は、コンベア等で表面２１が搬送されながら行われるので、短時間で表面２１にゴム部２５を形成することが可能となる。
【００４２】
一のゴム部２５と、一のゴム部２５から最も近い他のゴム部２５とを結ぶ仮想線Ｌは、長手方向Ｄ１及び幅方向Ｄ２に対して傾斜し、その傾斜角度は例えば４５°である。ゴム部２５は、その断面において、表面２１から円弧状に延びる曲線部２５ａを有する。この断面において、表面２１と、表面２１及び曲線部２５ａの交点Ｐから延びる接線Ｔとの成す角度θは、例えば１２０°以上且つ１５０°以下である。また、表面２１に対する曲線部２５ａの頂点２５ｂの高さＨは、例えば、０．５ｍｍ以上且つ４．０ｍｍ以下であるが、１．５ｍｍ以上且つ２．０ｍｍ以下であることがより好ましい。
【００４３】
次に、滑り止め部２０を第１布部１１及び第２布部１２に固定する方法について説明する。まず、第１布部１１及び第２布部１２の間に内容物１３を挟み込み、第２布部１２の直上に第１布部１１が位置するように第１布部１１、第２布部１２及び内容物１３の重ね合わせを行う。
【００４４】
その後、図６に示されるように、ミシン（例えばアドラーミシン）の縫製部のラッパ状の部位Ｂに滑り止め部２０を折り曲げながら挟み込むと共に、ミシンの縫製部に外縁１１Ａ，１２Ａの位置を合わせる。そして、ミシンから糸２３を滑り止め部２０及び外縁１１Ａ，１２Ａに縫い込み、外縁１１Ａ，１２Ａに対する滑り止め部２０の縫い込みを行うことによって、図３に示されるベッドパッド１０が完成する。
【００４５】
続いて、本実施形態に係る敷物（ベッドパッド１０）の作用効果について詳細に説明する。
【００４６】
ベッドパッド１０では、第１布部１１及び第２布部１２が、長手方向Ｄ１、及び長手方向Ｄ１に交差する幅方向Ｄ２に延びており、第１布部１１及び第２布部１２の外縁１１Ａ，１２Ａに沿って延びる滑り止め部２０を備える。滑り止め部２０は、外縁１１Ａ，１２Ａを挟み込んだ状態で第１布部１１及び第２布部１２に固定される。外縁１１Ａ，１２Ａに沿って滑り止め部２０が設けられるので、外縁１１Ａ，１２Ａにおいてベッドパッド１０のずれを抑えることができる。
【００４７】
また、ベッドパッド１０では、図１０（ａ）の帯状部材１０４が不要となり、単にマットレス２等の上に載せるだけで使用できるので、マットレス２等に対する着脱を容易に行うことができる。更に、帯状部材１０４が不要であることにより、帯状部材１０４が伸びきる懸念を解消できると共に、デザイン性を向上させることができる。
【００４８】
また、滑り止め部２０が第１布部１１及び第２布部１２の外縁１１Ａ，１２Ａに設けられることにより、滑り止め加工１１１が一面全体に施される図１０（ｂ）の敷物１１０と比較して、滑り止め加工する部位の面積が低減するためコストを抑えることができる。更に、敷物１１０では、滑り止め加工１１１が滑らかでない材質であることが多いため、滑り止め加工１１１を上に向けて使用することができない。
【００４９】
これに対して、本実施形態のように、滑り止め部２０が外縁１１Ａ，１２Ａに設けられる場合には、第１布部１１及び第２布部１２として滑らかな材質を用いることができるため、肌触りを良好にすることができると共に、第１布部１１及び第２布部１２の上下を逆にしても、肌触りが良好でない面が上を向かないようにすることができる。すなわち、第１布部１１及び第２布部１２のどちらを上に向けるかを気にせずにベッドパッド１０を使用することができるため、使い心地を向上させることができ、使いやすいベッドパッド１０を提供することができる。
【００５０】
また、第１布部１１及び第２布部１２は、長手方向Ｄ１及び幅方向Ｄ２に延びる長方形状とされており、滑り止め部２０は、第１布部１１及び第２布部１２の４辺のそれぞれに設けられている。よって、長方形状とされた第１布部１１及び第２布部１２のそれぞれの辺に滑り止め部２０が設けられる。従って、４方向それぞれへのずれを滑り止め部２０によって確実に抑制することができるので、滑り止めの効果を一層高めることができる。更に、本実施形態では、滑り止め部２０が第１布部１１及び第２布部１２の全周に設けられるため、前述した効果がより顕著となる。
【００５１】
また、本実施形態の敷物は、マットレス２の上に載せられると共にシーツ３が被せられるベッドパッド１０である。ベッドパッド１０の滑り止め部２０の下面２１ｂにマットレス２が接触し、滑り止め部２０の上面２１ａにシーツ３が接触する。よって、マットレス２及びシーツ３の双方に対するベッドパッド１０のずれを抑制することができる。
【００５２】
従って、マットレス２とシーツ３の間に介在するベッドパッド１０のずれを抑制することができるので、シーツ３の上で使用者が寝返りを打っても、シーツ３及びマットレス２に対するベッドパッド１０のずれを生じにくくすることができる。その結果、使用者の寝心地の更なる向上に寄与する。
【００５３】
（第２実施形態）
次に、第２実施形態に係る敷物について図７及び図８を参照しながら説明する。以下では、第１実施形態と重複する説明を適宜省略する。図７に示されるように、第２実施形態に係る敷物は、床面３１と敷き寝具３２の間に介在するドライシート４０である。なお、ドライシート４０は、床面３１以外のものに載せられてもよいし、敷き寝具３２以外のものが載せられてもよい。
【００５４】
床面３１は、例えば、フローリング又は畳によって形成されている。仮に床面３１の上に直接敷き寝具３２を置いた場合、湿気で敷き寝具３２の下が濡れて敷き寝具３２にカビが生えることが懸念される。これに対し、床面３１と敷き寝具３２の間にドライシート４０が介在する場合には、上記の懸念は解消される。
【００５５】
ドライシート４０は、敷き寝具３２よりも薄手とされている。ドライシート４０は、防湿シートであり、例えば、吸湿速乾機能を備えたパッドシーツである。更に、ドライシート４０は、消臭機能を備えていてもよい。ドライシート４０は、床面３１と敷き寝具３２の間に介在することによって、敷き寝具３２が湿気を帯びて柔らかくなったり敷き寝具３２にカビが生えたりすることを抑制する。
【００５６】
しかしながら、一般的に、ドライシートは床面３１に対して滑りやすいという問題がある。特に床面３１がフローリング又は畳によって形成される場合には、床面３１に対してドライシートが滑るという問題が生じうる。そこで、本実施形態では、ドライシート４０が滑り止め部５０を備えることにより、上記の問題を抑制している。
【００５７】
ドライシート４０は、長手方向Ｄ１及び幅方向Ｄ２に延びる長方形状の布部４１と、布部４１の外縁４１Ａを挟み込むことによって外縁４１Ａに固定される滑り止め部５０とを備える。布部４１は、長方形状に延びる平布である。布部４１は、敷き寝具３２の荷重を受ける部位である。なお、布部４１の形状及び大きさは適宜変更可能である。
【００５８】
布部４１は、例えば、ポリエステルによって構成されるが、布部４１の材料は適宜変更可能である。布部４１は不織布であってもよく、この場合、ドライシート４０のコストの増大を抑制することが可能である。滑り止め部５０は、滑り止め部２０と同様、布部４１の外縁４１Ａにヘム巻き（アドラー巻き）された部位である。滑り止め部５０は、布部４１の外縁４１Ａに沿って延びている。滑り止め部５０の形状及び材料は、例えば、前述した滑り止め部２０の形状及び材料と同様である。
【００５９】
図８に示されるように、滑り止め部５０は、布部４１の上面から外縁４１Ａの外側を通り、布部４１の下面にまで達している。滑り止め部５０は、布部４１の４辺のそれぞれに設けられている。具体的には、滑り止め部５０は、布部４１の短辺４１ａ及び長辺４１ｂに沿って設けられており、本実施形態では、滑り止め部５０は布部４１の全周に設けられている。
【００６０】
滑り止め部５０は、滑り止め部５０の外方に露出する表面５１と、表面５１の反対側を向く裏面５２とを有する。表面５１は、敷き寝具３２に接触する上面５１ａと、床面３１に接触する下面５１ｂと、上面５１ａ及び下面５１ｂを接続する湾曲部５１ｃとを含む。滑り止め部５０は、上面５１ａが敷き寝具３２に接触し、下面５１ｂが床面３１に接触することにより、敷き寝具３２及び床面３１に対するずれを抑制する。
【００６１】
滑り止め部５０は、第１実施形態と同様、裏面５２が布部４１の上面と布部４１の下面に接触した状態で糸５３によって布部４１に縫い込まれることにより、布部４１に固定される。滑り止め部５０を布部４１に固定する方法については、滑り止め部２０を固定する方法と同様である。
【００６２】
以上、第２実施形態に係る敷物であるドライシート４０は、布部４１の外縁４１Ａに沿って延びる滑り止め部５０を備える。従って、第１実施形態のベッドパッド１０と同様の効果が得られる。更に、第２実施形態に係る敷物は、床面３１に載せられると共に敷き寝具３２が載せられるドライシート４０である。第２実施形態では、ドライシート４０が床面３１と敷き寝具３２の間に介在するので、敷き寝具３２が湿気を帯びないようにすることができる。
【００６３】
よって、敷き寝具３２が湿気で柔らかくなる問題を抑制することができるので、敷き寝具３２を長期間使用することができる。また、ドライシート４０の外縁４１Ａに滑り止め部５０が設けられるので、床面３１及び敷き寝具３２に対するドライシート４０のずれを抑制することができる。従って、敷き寝具３２が湿気で柔らかくなる問題を抑制する効果、及び、ドライシート４０のずれを抑制する効果の両方を得ることができる。
【００６４】
（第３実施形態）
続いて、第３実施形態に係る敷物について図９を参照しながら説明する。図９に示されるように、第３実施形態に係る敷物は、直方体状のマットレス６０である。マットレス６０は、前述したマットレス２と同様、例えば、ベッドの上に載せられる。マットレス６０には、ベッドパッド等の敷き寝具が載せられてもよい。
【００６５】
マットレス６０は、直方体状を呈する。マットレス６０は、鉛直上方に向けられる長方形状の第１布部６１（布部）と、第１布部６１の反対側を向く長方形状の第２布部（布部）とを有する。第１布部６１の外縁６１Ａ、及び第２布部の外縁６２Ａのそれぞれには、前述した滑り止め部２０，５０と同様の滑り止め部７０が固定されている。図９では滑り止め部７０を太線で示している。滑り止め部７０の材料、並びに第１布部６１及び第２布部に対する滑り止め部７０の固定手段は、前述と同様とすることができる。
【００６６】
以上、第３実施形態に係る敷物であるマットレス６０は、外縁６１Ａ，６２Ａのそれぞれに沿って延びる滑り止め部７０を備える。従って、第１実施形態に係るベッドパッド１０と同様の効果が得られる。また、マットレス６０は、ベッドの上に載せられると共に敷き寝具が載せられる。このように、マットレス６０はベッドと敷き寝具の間に介在するので、ベッド及び敷き寝具に対するマットレス６０のずれを抑制することができる。
【００６７】
以上、本発明に係る敷物の実施形態について説明したが、本発明は、前述した各実施形態に限定されるものではなく、各請求項に記載した要旨を変更しない範囲において変形してもよい。すなわち、本発明に係る敷物の構成は、上記の要旨を変更しない範囲において種々の変形が可能である。
【００６８】
例えば、前述の実施形態では、敷物がベッドパッド１０、ドライシート４０又はマットレス６０である例について説明したが、本発明に係る敷物は、ベッドパッド、ドライシート又はマットレス以外の敷物であってもよい。例えば、敷物は、こたつが載せられるカーペット、又は絨毯であってもよい。
【００６９】
また、前述の実施形態では、第１布部１１及び第２布部１２の全周に設けられる滑り止め部２０について説明した。滑り止め部２０は、その全体が高摩擦部とされていてもよいし、滑り止め部２０の一部が高摩擦部とされていてもよい。滑り止め部２０では、例えば、上面２１ａ及び下面２１ｂのいずれかのみが高摩擦部とされていてもよい。
【００７０】
また、本発明に係る滑り止め部は、布部の全周に設けられなくてもよい。例えば、滑り止め部は、長方形状の布部の４辺それぞれの一部に設けられていてもよいし、長方形状の布部の四角に設けられていてもよい。また、滑り止め部の数、材料、形状、大きさ及び配置態様は、前述した要旨を変更しない範囲において適宜変更可能である。
【００７１】
また、前述の実施形態では、敷物が第１布部１１と第２布部１２とを含むベッドパッド１０である例について説明した。しかしながら、敷物の布部の枚数、形状、大きさ及び材料は適宜変更可能である。敷物の下側に位置するものとしては、マットレス２、床面３１又はベッドに限定されず適宜変更可能である。敷物の上側に位置するものとしても、シーツ３又は敷き寝具に限定されず適宜変更可能である。
【符号の説明】
【００７２】
１…ベッド、１ａ…床板、１ｂ…サイドレール、１ｃ…ヘッドボード、１ｄ…フットボード、２…マットレス、３…シーツ、１０…ベッドパッド（敷物）、１１，６１…第１布部（布部）、１１Ａ，１２Ａ，４１Ａ，６１Ａ，６２Ａ…外縁、１１ａ，４１ａ…短辺、１１ｂ，４１ｂ…長辺、１２…第２布部、１３…内容物、２０，５０，７０…滑り止め部、２１，５１…表面、２１ａ，５１ａ…上面、２１ｂ，５１ｂ…下面、２２，５２…裏面、２３，５３…糸、２５…ゴム部、２５ａ…曲線部、３１…床面、３２…敷き寝具、４０…ドライシート（敷物）、４１…布部、５１ｃ…湾曲部、６０…マットレス（敷物）、Ｄ１…長手方向、Ｄ２…幅方向、Ｄ３…高さ方向、Ｌ…仮想線、Ｐ…交点、Ｔ…接線、θ…角度。
【図１】
2019042036.tif 000003
【図２】
2019042036.tif 000004
【図３】
2019042036.tif 000005
【図４】
2019042036.tif 000006
【図５】
2019042036.tif 000007
【図６】
2019042036.tif 000008
【図７】
2019042036.tif 000009
【図８】
2019042036.tif 000010
【図９】
2019042036.tif 000011
【図１０】
2019042036.tif 000012